(57)【特許請求の範囲】
【請求項１】
乳房に対応するサイズ及び形状に調整可能な一対の骨組みと、前記各骨組みに分離可能に装着して各骨組みを被覆し左右一対のカップを形成する一対の被覆材と、前記一対の骨組みを分離可能に連結するカップ接続部材と、一対の係脱可能な係止部を有するブレストバンドと、前記両骨組みの各外側端に分離可能に連結するとともに、前記ブレストバンド端部を連結するバンド接続部材とを備えたサイズ及び形状調整可能なブラジャー。
【請求項２】
乳房の下側周縁から両側周縁に対応して延びるよう形成した長さ調整可能な第１骨材、乳房の上側周縁に対応して延びるよう形成し、前記第１骨材両端にその両端を揺動可能に連繋した長さ調整可能な第２骨材、前記第２骨材の途中部位に一端を連繋し、各他端は乳房の膨らみに対応するよう乳房の高さ方向に彎曲し、かつ互いに異なる方向に延ばし、前記第１骨材の互いに異なる位置の途中部位に揺動可能に連繋した長さ調整可能な複数の第３骨材から構成し、これら骨材を弾力性を有する素材で形成した一対の骨組みと、前記各骨組みを被覆して左右一対のカップを形成する伸縮可能な材質からなる一対の被覆材と、前記一対の骨組みを分離可能に連結する一対のアームからなり、一端を緊締可能に枢支してなるカップ接続部材と、一対の係脱可能な係止部を有し長さ調整可能なブレストバンドと、前記各骨組みの各外側端に分離可能に連結するとともに、ブレストバンドの端部を連結するバンド接続部材とを備えたサイズ及び形状調整可能なブラジャー。
【発明の詳細な説明】
【技術分野】
【０００１】
本発明は、着用者が好みに応じてデザインを選択し得るよう各部を分解組立可能に構成するブラジャーに係り、特に、サイズ調整あるいは形状変更が可能なブラジャーに関する。
【背景技術】
【０００２】
通常のブラジャーは、乳房底辺から背中にかけての胸部周りであるアンダーバストサイズと、このアンダーバストサイズと乳房最高部から背中にかけての胸部周りであるトップバストサイズとの高低差であるカップサイズとを組み合わせた寸法でブラジャーサイズを規定している。前記ブラジャーサイズは、乳房の形状や大きさに対応するよう細分化する必要があるうえ、デザインや素材、色、形状といった着用者の嗜好にも応える必要があるため、多種多様なものが既製品として生産されている。また、サイズ数を減少すべく、着用者が自身の体格に合わせるようサイズを調節するもの（特許文献１参照）が提案されている。このサイズ調節は、ブレストバンドの一方の連結帯に設ける連結用のフックと係合する他方の連結帯に設けるアイを長手方向に複数設け、フックを係合する複数のアイを選択することによって行う。
【特許文献１】特開２００２−３１７３０９号公報
【発明の開示】
【発明が解決しようとする課題】
【０００３】
上記通常のブラジャーは、他の衣料とは異なるブラジャー特有の細分化されたサイズと、多種多様な形状の品種が必要とされるので、生産者としては非効率な生産を余儀なくされる一方、販売者にとっては、商品回転率が悪く在庫が多くなるという不都合が生じるうえ、ひいては在庫の大量廃棄処分による環境問題も生じるという問題があった。
【０００４】
一方、消費者である着用者は、用途と嗜好別に自身に合ったサイズを選択して購入する必要があり、購入数が極めて多くなるうえ、体重の増減や体型の変化、あるいは月経の度に乳房の大きさが変わることに伴って、異なるサイズのものを購入し直さなければならないこともあって、衣料購入費がかさむという問題があった。
【０００５】
また、前記通常のブラジャーは、繊維、鉄などの金属やプラスチック等の部品を組み合わせて分解できないように一体形成されているため、洗濯機による洗濯では前記各部品の変形や破損を招くので手洗いを余儀なくされるという問題があった。
【０００６】
また、ブレストバンドの長さを調節する従来のものは、ある程度ブラジャーの購入数を減らすことができるが、十分ではないとともに、前述の洗濯時の問題を解決するものではない。
【０００７】
本発明は、上記各問題を解消することを課題とし、該課題を解決したブラジャーを提供することを目的とする。
【課題を解決するための手段】
【０００８】
前記目的を達成するために、請求項１に係る本発明は、乳房に対応するサイズ及び形状に調整可能な一対の骨組みと、前記各骨組みに分離可能に装着して各骨組みを被覆し左右一対のカップを形成する一対の被覆材と、前記一対の骨組みを分離可能に連結するカップ接続部材と、一対の係脱可能な係止部を有するブレストバンドと、前記両骨組みの各外側端に分離可能に連結するとともに、前記ブレストバンド端部を連結するバンド接続部材とを備えたものである。
【０００９】
また、請求項２に係る本発明は、乳房の下側周縁から両側周縁に対応して延びるよう形成した長さ調整可能な第１骨材、乳房の上側周縁に対応して延びるよう形成し、前記第１骨材両端にその両端を揺動可能に連繋した長さ調整可能な第２骨材、前記第２骨材の途中部位に一端を連繋し、各他端は乳房の膨らみに対応するよう乳房の高さ方向に彎曲し、かつ互いに異なる方向に延ばし、前記第１骨材の互いに異なる位置の途中部位に揺動可能に連繋した長さ調整可能な複数の第３骨材から構成し、これら骨材を弾力性を有する素材で形成した一対の骨組みと、前記各骨組みを被覆して左右一対のカップを形成する伸縮可能な材質からなる一対の被覆材と、前記一対の骨組みを分離可能に連結する一対のアームからなり、一端を緊締可能に枢支してなるカップ接続部材と、一対の係脱可能な係止部を有し長さ調整可能なブレストバンドと、前記各骨組みの各外側端に分離可能に連結するとともに、ブレストバンドの端部を連結するバンド接続部材とを備えたものである。
【発明の効果】
【００１０】
前記請求項１に係る本発明は、ブラジャーの構成部材である骨組みと各被覆材とブレストバンドとが分離可能なので、着用者は自身の好みに応じたデザインのブラジャーを得ることができ、また、破損した場合でも破損部材のみを交換して着用できるうえ、各被覆材とブレストバンドを洗濯機を使用して洗濯することができるという効果を奏する。
【００１１】
また、前記請求項２に係る本発明は、ブラジャーの構成部材である骨組みと各被覆材とブレストバンドとが分離可能なので、着用者は自身の好みに応じたデザインのブラジャーを得ることができ、また、破損した場合でも破損部材のみを交換して着用できるうえ、両被覆材とブレストバンドを洗濯機を使用して洗濯することができ、また、着用者は、骨組みの第１、第２、第３骨材を各別に長さ調節することが可能であるとともに、両カップを形成する骨組みを両乳房に対応位置するように両骨組みのなす角度を調節できるので、サイズあるいは形状を自身の体型あるいは好みに合わせて変更することができ、体重の増減や体型の変化、あるいは月経の度に乳房の大きさが変化することに対応可能であって、購入するブラジャー数を減らすことができて衣料購入費を低減でき、一方、生産者にとっては、サイズの細分化をはじめ多種多様なブラジャーを製造することによる、非効率な生産をそれぞれ改善することができ、また、販売者にとっては、商品回転率が向上して在庫が減り、ひいては在庫処分量も減少して大量廃棄による環境問題も生じないという効果を奏する。
【発明を実施するための最良の形態】
【００１２】
以下に、本発明の好適な実施形態を添付図面の図１〜図９に基づいて詳細に説明する。ここにおいて、図１はブラジャーの斜視図、図２は骨組みの正面図、図３は同じく平面図、図４は一方の被覆材の斜視図、図５はカップ接続部材の斜視図、図６はバンド接続部材とバンド係止部材との連結状態を示す斜視図、図７はバンド係止部材の斜視図、図８は第１、第２骨材の伸縮部の分解斜視図、図９は二方向揺動機構の分解斜視図、図１０は一方向揺動機構の分解斜視図、図１１は他の実施形態のブレストバンドの斜視図である。
【００１３】
図１〜図７に示すように、ブラジャー１は、左右の乳房に当てる左右一対のカップ２，３を有し、この左右一対のカップ２，３は、乳房の形状に対応した形状を有する一対の骨組み４と、この両骨組み４に対して分離可能に被覆する一対の被覆材５とで形成する。また、前記ブラジャー１は、左右一対のカップ２，３を胸元で分離可能に連結するカップ接続部材６と、ブレストバンド７と、前記両骨組み４の各外側端に分離可能に連結するとともに、前記ブレストバンド７を連結するバンド接続部材８とを備える。
【００１４】
図２及び図３に示すように、骨組み４は、弾力性を有する素材で形成するもので、乳房の下側周縁から両側周縁に対応して延びる長さ調整可能な第１骨材９と、乳房の上側周縁に対応して延び、前記第１骨材９両端にその両端を揺動可能に連繋した長さ調整可能な第２骨材１０と、前記第２骨材１０の途中部位にその一端を一体的に連繋し、その他端を乳房の膨らみに対応するよう乳房の高さ方向に彎曲し、かつ互いに異なる方向に延ばし、前記第１骨材９の互いに異なる位置の途中部位に揺動可能に連繋した長さ調整可能な３本の第３骨材１１ａ，１１ｂ，１１ｃから構成してなる。
【００１５】
図２及び図３に示すように、第１骨材９は、乳房の下側周縁から両側周縁に対応して延びるものである。この第１骨材９は、図８で理解できるように、一端側がレール状に形成されるとともに、他端側がパイプ状に形成され、前記レール状部分先端に互いに平行に延び、それぞれの内側に係合突起１２を対向するように設けた一対の連結板１３を設けてなる可撓性を有するパイプ材１４と、このパイプ材１４の前記各連結板１３間に挿し込み可能で、先端近傍の両側に、前記各係合突起１２に係合する長手方向に並ぶ係合凹部１５（一側のみ図示）を設けた可撓性を有する挿し込み線材１６とからなる。そして、着用者は、前記挿し込み線材１６の先端を、前記パイプ材１４の両連結板１３間に挿し込み、選択した係合凹部１５と係合突起１２とを係合させ、この第１骨材９の長さを調整することができる。
【００１６】
図２及び図３に示すように、第２骨材１０は、前記第１骨材９両端近傍にその両端を揺動可能に連繋するものである。この第２骨材１０は、前記第１骨材９の両端近傍に揺動可能に連繋する一対のパイプ材１７，１８と、これらパイプ材１７，１８の間に配置された挿し込み線材１９とからなり、前記各パイプ材１７，１８は、それぞれ一端側がレール状に形成されるとともに、前記第１骨材９との各連繋端である他端側がパイプ状に形成され、前記レール状部分先端に互いに平行に延び、各内側に係合突起（図示せず）を対向するように設けた一対の連結板２０を設けてなり、可撓性を有する。前記挿し込み線材１９は、前記パイプ材１７，１８の前記各連結板２０間に挿し込み可能で、両先端近傍の両側に、前記各係合突起（図示せず）に係合する長手方向に並ぶ複数の係合凹部（図示せず）を設けたもので、可撓性を有する。そして、着用者は、前記挿し込み線材１９の両端を、前記各パイプ材１７，１８の各連結板２０間に挿し込み、選択した係合凹部と係合突起とを係合させ、この第２骨材１０の長さを調整することができる。この長さ調整するための前記パイプ材１７と前記挿し込み線材１９の連結構造は、前述の第１骨材９と同一である。
【００１７】
図２、図３及び図９に示すように、前記第２骨材１０のパイプ材１７一端と前記第１骨材９のパイプ材１４一端近傍とは、二方向揺動機構によって、第１骨材９が延びる方向と、この方向とは直角方向との２方向に揺動するように連繋している。図９で理解できるように、この二方向揺動構造は、第１骨材９のパイプ材１４端部近傍の固定孔２１に挿し込んでナット２２で固定する固定軸２３ａを一端に有し、他端近傍に厚み方向に透設した軸受孔２３ｂを有する支持片２３と、前記軸受孔２３ｂに重ねて軸２４で回転自在に連結するための軸受孔２５ａを一端近傍に有し、他端近傍に幅方向に延びる軸受孔２５ｂを有する介在片２５と、この介在片２５の軸受孔２５ｂに対応位置させ、軸２６で回転自在に連結する軸受孔２７ａをそれぞれ有する一対の連結腕２７とから構成する。前記二方向揺動構造は、第２骨材１０のパイプ材１８端と第１骨材９の挿し込み線材１６一端近傍との連繋部分にも設けられている。
【００１８】
図２及び図３に示すように、３本の第３骨材１１ａ，１１ｂ，１１ｃは、前記第２骨材１０の途中部位に各一端を一体的に連繋し、その他端を乳房の膨らみに対応するよう乳房の高さ方向に彎曲し、かつ互いに異なる方向に互いに角度をつけて延ばし、前記第１骨材９の互いに異なる途中部位に揺動可能に連繋するものである。前記第３骨材１１ａ，１１ｂ，１１ｃは、それぞれ、可撓性をするパイプ材２９と、可撓性を有する挿し込み部材３０とからなる。各パイプ材２９は、一端側がレール状に形成されるとともに、他端側がパイプ状に形成され、前記レール状部分先端に互いに平行に延び、各内側に係合突起（図示せず）を対向するように設けた一対の連結板２８を設けてなる。各挿し込み線材３０は、これらパイプ材２９の前記各連結板２８間に挿し込み可能で、両先端近傍の両側に、前記各係合突起（図示せず）に係合する長手方向に並ぶ複数の係合凹部（図示せず）を設けている。そして、着用者は、前記挿し込み線材３０の一端を、前記各パイプ材２９の両連結板２８間に挿し込み、選択した係合凹部と係合突起とを係合させ、この第３骨材１1ａ，１１ｂ，１１ｃの長さを調整することができる。この長さ調整するための前記パイプ材２９と前記挿し込み線材３０の連結構造は、前述の第１、第２骨材９，１０と同一である。
【００１９】
図２、図３及び図１０に示すように、前記第３骨材１１ａ先端と前記第１骨材９の中間部分とは、一方向揺動機構によって、第１骨材９が延びる方向とは直角方向に揺動するように連繋するものである。この一方向揺動機構は、図１０で理解できるように、第１骨材１０のパイプ材１４に設け、各軸受孔３１を有する一対の連結板３２と、第３骨材１１ａのパイプ材２９先端に設け、軸受孔３３を有する連結板３４と、軸３５とから構成する。この一方向揺動機構は、前記連結板３２間に前記連結板３４を嵌め、軸３５を軸受孔３１，３３に挿し込んで構成するもので、第３骨材１１ａは、第１骨材９のパイプ材１４に対して該第１骨材９の延びる方向とは直角方向に揺動可能となる。また、第３骨材１１ｂ，１１ｃの先端は、第１骨材９の挿しこみ線材１６の途中部位に前記第３骨材１１ａの一方向揺動機構と同一の構成をもつ一方向揺動機構（図示せず）を介して連繋してある。
【００２０】
以上のように構成した骨組み４は、第１、第２、第３骨材９，１０，１１ａ，１１ｂ，１１ｃがそれぞれ各別に長さ調整可能であるとともに、第１骨材９と第２骨材１０が互いに二方向に揺動するように連繋され、また第３骨材１１ａ，１１ｂ，１１ｃが第１骨材９に対して一方向に揺動するように連繋されているので、ブラジャーサイズや形状を人体に合わせて調整することが可能である。
【００２１】
図４に示すように、被覆材５は、化学繊維製綿やウレタンスポンジ等の芯体（図示せず）を、柔軟性を有する不織布、ニット生地、織物の単体材又は複合材で被覆してなるパッドで構成するものであり、乳房の上側縁に対応する部分が閉塞され、底部縁及び両側縁に対応する部分が開放された袋形状となし、前記開放縁内側に複数のスナップ３６を設けてなる。この被覆材５は、前記一対の骨組み４をカップ接続部材６（図１参照）で連結するとともに、前記各骨組み４の外側縁部分にバンド接続部材８をそれぞれ連結した後に、前記骨組み４を前後から挟むようにしてこれを被覆し、前記各スナップ３６で留めることによって装着するもので、この装着により左右一対のカップ２，３が形成される。
【００２２】
図１及び図５に示すように、カップ接続部材６は、前記各骨組み４における第１骨材９の挿し込み線材１６の彎曲形状に対応するようにそれぞれ相対的に外側に彎曲した形状をもつほぼ円筒状の一対のアーム３７，３８の一端を互いに緊締ビスで回動可能かつ位置固定可能に連繋してなる。前記各アーム３７，３８には、それぞれ外側に前記各挿し込み線材１６に接続し得る弾力性をもった接続片４０ａ，４０ｂ、接続片４１ａ，４１ｂを一体形成するとともに、この接続片４０ａ，４０ｂ，４１ａ，４１ｂの内面と、接続片４０ａ，４０ｂと接続片４１ａ，４１ｂとの間のアーム３７，３８に複数の滑り止め用溝４２を設けてある。このカップ接続部材６は、前記接続片４０ａ，４０ｂ，４１ａ，４１ｂを前記各挿し込み線材１６に嵌合して両骨組み４に接続するとともに、前記緊締ビス３９を緩めることによって、該緊締ビス３９を中心に回動して開閉させ、所定の位置で前記緊締ビス３９を閉めて位置固定することができる。すなわち、両骨組み４のなす角度を変更することができるのである。また、前記接続片４０ａ，４０ｂ，４１ａ，４１ｂは、弾力をもっているので、これらを開くようにして前記各挿し込み線材１６に嵌合して接続すると不用意には離脱せず、強く引けば離脱する。さらに、接続片４０ａ，４０ｂ，４１ａ，４１ｂの内面と、接続片４０ａ，４０ｂと接続片４１ａ，４１ｂとの間部分に複数の滑り止め用溝４２を設けてあるので、カップ接続部材６が挿し込み線材１６の接続位置からずれることがない。
【００２３】
図１及び図６に示すように、一対のバンド接続部材８は、前記各骨組み４における第１骨材９の挿し込み線材１６の彎曲形状に対応するような彎曲形状をもつほぼ円筒状のアーム４３に前記挿し込み線材１６の端部近傍に接続し得る弾力性をもった接続片４４ａ，４４ｂを一体形成するとともに、この接続片４４ａ，４４ｂとは反対側にブレストバンド７を取り付けるための連繋リング４５を有し、接続片４４ａ，４４ｂの内面とこれら接続片４４ａ，４４ｂの間アーム４３には、複数の滑り止め用溝４６を設けてある。一対のバンド接続部材８は、前記接続片４４ａ，４４ｂを前記各挿し込み線材１６にそれぞれ嵌合して両骨組み４に接続する。そして、一方のバンド接続部材８には、ブレストバンド７の被係止部７ａを前記連繋リング４５に取り付ける。前記被係止部７ａは、四つ１組の被係止リング４７を３組その長手方向に並べ、一端には前記連繋リング４５に取り付けた取り付け片４８を設けてある。
【００２４】
図１に示すように、他方のバンド接続部材８には、ブレストバンド７の一端を取り付け、その他端には、前記被係止部７ａの被係止リング４７に離脱可能に係止する四つのフック５０を有する係止部７ｂを設ける。図７に示すように、係止部７ｂの一端には、２枚のプラスチックからなる取り付け片５１を設け、これら取り付け片５１の対向面には他方の取り付け片５１外面に刺さる多数の微細な突起５２を設けてある。この係止部７ｂをブレストバンド７に取り付けるには、着用者に合うようブレストバンドの自由端側を切断して長さ構成し、この切断端を挟むように２枚の取り付け片５１を取り付ける。前記ブレストバンド７は、被係止部７ａの被係止リング４７の３組のうち着用者に合わせて１組を選び、この組の四つの被係止リング４７に前記係止部７ｂの四つのフック５０を係止する。このように、上記ブレストバンド７は、着用者の胸周りに合わせて被係止リング４７の組を選ぶことによって、着用時の長さを調整することができる。
【００２５】
続いて、図１１に基づいてブレストバンドの他の実施形態を説明する。ここにおいて図１２はブレストバンドの斜視図である。
【００２６】
図１１に示すように、ブレストバンド９１は、２本の第１、第２バンド９１ａ，９１ｂからなり、これら第１、第２バンド９１ａ，９１ｂはそれぞれバンド接続部材８を介して各一端を骨組み４に取り付け、第１バンド９１ａ他端には、被係止部９２ａを設け、第２バンド９１ｂ他端には、前述の係止部７ｂと同一構成の係止部９２ｂを設けてなる。前記被係止部９２ａと係止部９２ｂは、図１２に示すように、係止部７ｂと同様の取り付け片９３ａ，９３ｂを有している。これら２本のバンド９１ａ，９１ｂにそれぞれ被係止部９２ａ，９２ｂを取り付ける前に端部を切断して長さ調整することができる。
【００２７】
また、図１２（斜視図）に示す他の実施形態のブラジャー１０１は、カップ２，３に装飾１０２を施すとともに、肩紐１０３を取り付けたものである。このカップ２，３は前記実施形態の骨組み４に装飾１０２を施した被覆材１０４を被せて形成するものである。装飾は、レースやプリント生地を接着あるいは縫い付けたり、布用塗料で描いたり、スパンコールやラインストーンを接着することで行う。
【００２８】
次に、骨組み４を構成する第１〜第３骨材の長さ調整構造の変形例１〜４を添付図面の図１３〜図１７に基づいて説明する。ここにおいて、図１３は変形例１の組立前の状態を示す部分拡大斜視図、図１４は変形例２の組立前の状態を示す部分拡大斜視図、図１５は変形例３の組立前の状態を示す部分拡大斜視図、図１６は変形例４の組立前の状態を示す部分拡大斜視図、図１７は変形例４のパイプ材の拡大側面図である。
【００２９】
図１３に示すように、変形例１の骨材５３は、弾力性を有する素材で構成され、先端にそれぞれ内側に山形の傾斜面を形成した係止爪５４を有する一対の連結板５５を設けたパイプ材５６と、前記係止爪５４に係止する複数の被係止溝５７を設けた挿し込み線材５８とからなる。前記各連結板５５は、その弾力性によって、力をかけると互いに開くよう外側に、また力を抜くと復帰するよう内側に揺動可能である。この骨材５３は、挿し込み線材５８の先端を、パイプ材５６の前記連結板５５間に押し込むと、前記両連結板５５が押し開かれ、前記挿し込み線材５８がパイプ材５６内に所定長挿し込まれる。ここで押し込む力を抜くと、挿し込み線材５８の所定の被係止溝５７に係止爪５４が係止する。前記被係止溝５７を別の係止爪５４に変更するときはパイプ材５６に対して挿し込み線材５８を所定以上の力で押すか引けば，被係止溝５７と係止爪５４の係止状態が解け移動することができ、また、力をかけなければ不用意に前記係止状態が解けることはない。よって、この骨材５３は長さ調整が容易にできる。
【００３０】
図１４に示すように、変形例２の骨材５９は、弾力性を有する素材で構成され、内側に山形の傾斜面を形成した一対の係止爪６０設けたパイプ材６１と、前記係止爪６１に係止する複数の被係止溝６２を設けた挿し込み線材６３とからなる。前記パイプ材６１は、その弾力性によって、係止爪６０に力をかけると前記係止爪６０は互いに離反方向に変位して、対応する部分の径が大きくなり、また力を抜くと前記係止爪６０は復帰する。この骨材５９は、挿し込み線材６３の先端を、パイプ材６１に押し込むと、前記係止爪６０に対応する部分の径が大きくなりながら、前記挿し込み線材６３がパイプ材６１内に所定長挿し込まれる。ここで押し込む力を抜くと、係止爪６０の変形が戻り、挿し込み線材６３の所定の被係止溝６２に係止爪６０が係止する。前記被係止溝６２を別の被係止溝６２に変更するときはパイプ材６１に対して挿し込み線材６３を所定以上の力で押すか引けば，被係止溝６２と係止爪６０の係止状態が解かれ移動することができ、また、力をかけなければ不用意に前記係止状態が解けることはない。よって、この骨材５９は長さ調整が容易にできる。
【００３１】
図１５に示すように、変形例３の骨材６４は、その先端から所定長の部分を反割りした一方を開閉可能な開閉半筒６５となし、この開閉半筒６５及び反割した他方の半筒６６の各内面にゴムなどの摩擦帯６７ａ，６７ｂを設けたパイプ材６８と、このパイプ材６８に挿し込み可能な挿し込み線材６９とからなる。前記開閉半筒６５は半筒６６に対して開閉するとともに、閉じた状態を維持する係止爪７０及び被係止片７１を開閉半筒６５と半筒６６に設けてある。この骨材６４は、開閉半筒６５を開いた状態で、挿し込み線材６９をパイプ材６８に所定位置まで挿し込み、開閉半筒６５を閉じ、係止爪７０と被係止片７１を係止することによって、摩擦帯６７ａ，６７ｂによって前記挿し込み線材６９が移動しないように押えられるというものである。よって、この骨材６４は長さ調整が容易にできる。
【００３２】
図１６及び図１７に示すように、変形例４の骨材７２は、その先端に挟持部材７３を設けた断面四角のパイプ材７４と、このパイプ材７４に挿し込み可能な挿し込み線材７５とからなる。前記挟持部材７３は、前記挿し込み線材７５を挿通する挿入孔７６を有する枠体７７と、バネ７８によって一方に付勢され、前記挿入孔７６と対応位置する挿入孔７９を有するとともに、前記バネ７８とは反対側に突出したボタン８０を設ける挟持体８１とからなる。この骨材７２は、前記挟持部材７３の前記挟持体８１のボタン８０をバネ７８の付勢力に抗して押し、前記枠体７７の挿入孔７６と前記挟持体８１の挿入孔７９を合致させ、前記挿し込み線材７５を両孔７６，７９に挿通するよう挿し込み、所定長挿し込んだところで前記ボタン８０を離すことによって、バネ７８の力で前記枠体７７の挿入孔７６上縁と挟持体８１の挿入孔７９で挿し込み線材７５を移動しないように挟持するというものである。よって、この骨材７４は長さ調整が容易にできる。なお、前記枠体７７をパイプ材７４の長手方向に延長するよう長く形成すると、前記挿し込み線材７５を安定した状態で挟持することができる。
【００３３】
なお、本発明は、上記実施形態や変形例になんら限定されるものではなく、例えば、上記実施形態では、一対の骨組み４をカップ接続部材６で接続するとともに、各骨組み４にバンド接続部材８を接続してから、被覆材５を取り付けているが、各骨組み４に被覆材５を取り付け、この被覆材５の上から、一対の骨組み４をカップ接続部材６で接続するとともに、バンド接続部材８を接続してもよい。また、被覆材５の骨組み４に分離可能に被覆する構成は他のものに変えてもよい。
【図面の簡単な説明】
【００３４】
【図１】第１実施形態のブラジャーを示す斜視図。
【図２】同じく一方の骨組みの正面図。
【図３】同じく一方の骨組みの平面図。
【図４】同じく一方の被覆材の斜視図。
【図５】同じくカップ接続部材の斜視図。
【図６】同じくバンド接続部材とバンド係止部材との連結状態を示す斜視図。
【図７】同じくバンド係止部材の斜視図。
【図８】同じく第１、第２骨材の伸縮部の分解斜視図。
【図９】同じく二方向揺動機構の分解斜視図。
【図１０】同じく一方向揺動機構の分解斜視図。
【図１１】他の実施形態のブレストバンドの斜視図。
【図１２】他の実施形態のブラジャーの斜視図。
【図１３】変形例１の骨材の組立前の状態を示す部分拡大斜視図。
【図１４】変形例２の骨材の組立前の状態を示す部分拡大斜視図。
【図１５】変形例３の骨材の組立前の状態を示す部分拡大斜視図。
【図１６】変形例４の骨材の組立前の状態を示す部分拡大斜視図。
【図１７】同じくパイプ材の拡大側面図
【符号の説明】
【００３５】
１    ブラジャー
２    装飾
３    肩紐
４    骨組み
５    被覆材
６    カップ接続部材
７    ブレストバンド
７ａ    被係止部
７ｂ    係止部
８    バンド接続部材
９    第１骨材
１０    第２骨材
１１ａ，１１ｂ，１１ｃ    第３骨材
１２    係合突起
１３    連結板
１４    パイプ材
１５    係合凹部
１６    挿し込み線材
１７    パイプ材
１８    パイプ材
１９    挿し込み線材
２０    連結板
２１    固定孔
２２    ナット
２３    支持片
２３ａ    固定軸
２３ｂ    軸受孔
２４    軸
２５    介在片
２５ａ    軸受孔
２５ｂ    軸受孔
２６    軸
２７    連結腕
２７ａ    軸受孔
２８    連結板
２９    パイプ材
３０    挿し込み線材
３１    軸受孔
３２    連結板
３３    軸受孔
３４    連結板
３５    軸
３６    スナップ
３７    アーム
３８    アーム
３９    緊締ビス
４０ａ，４０ｂ    嵌合片
４１ａ，４１ｂ    嵌合片
４２    滑り止め用溝
４３    アーム
４４ａ，４４ｂ    接続片
４５    連繋リング
４６    滑り止め用溝
４７    係止リング
４８    取り付け片
４９    突起
５０    フック
５１    取り付け片
５２    突起
５３    骨材
５４    係止爪
５５    連結板
５６    パイプ材
５７    被係止溝
５８    挿し込み線材
５９    骨材
６０    係止爪
６１    パイプ材
６２    被係止溝
６３    挿し込み線材
６４    骨材
６５    開閉半筒
６６    半筒
６７ａ，６７ｂ    摩擦帯
６８    パイプ材
６９    挿し込み線材
７０    係止爪
７１    被係止片
７２    骨材
７３    挟持部材
７４    パイプ材
７５    挿し込み線材
７６    挿入孔
７７    枠体
７８    バネ
７９    挿入孔
８０    ボタン
８１    挟持体
９１    ブラジャー
９２ａ    被係止部
９２ｂ    係止部
９３ａ    取り付け片
９３ｂ    取り付け片
１０１    ブラジャー
１０２    装飾
１０３    肩紐
１０４    被覆材
【図１】
0004512123.tif 000002
【図２】
0004512123.tif 000003
【図３】
0004512123.tif 000004
【図４】
0004512123.tif 000005
【図５】
0004512123.tif 000006
【図６】
0004512123.tif 000007
【図７】
0004512123.tif 000008
【図８】
0004512123.tif 000009
【図９】
0004512123.tif 000010
【図１０】
0004512123.tif 000011
【図１１】
0004512123.tif 000012
【図１２】
0004512123.tif 000013
【図１３】
0004512123.tif 000014
【図１４】
0004512123.tif 000015
【図１５】
0004512123.tif 000016
【図１６】
0004512123.tif 000017
【図１７】
0004512123.tif 000018